(57)【要約】【課題】過去のエンジンストールの発生履歴に基づいての適正なエンジンの診断を可能とする。【解決手段】車両１３に搭載されたエンジン１４の診断用のデータとして同エンジン１４の運転履歴の情報を運転履歴データベース１５に格納して管理する運転履歴管理サーバ１０は、エンジンストールの発生を示すエンジン１４の運転データを車両１３から受信した際に、そのエンジンストールがエンジン１４の内的要因で発生したか、外的要因で発生したかを判定して、内的要因で発生した場合に限り、同エンジンストールの発生履歴を運転履歴データベース１５に記録する診断データ処理Ｐ１を行う。【選択図】図１
2020176523.tif 000002
【特許請求の範囲】
【請求項１】
エンジンの診断用に記録するデータの処理を行う診断データ処理装置であって、
前記エンジンで発生したエンジンストールが同エンジンの内的要因で発生したか、外的要因で発生したかを判定して、内的要因で発生した場合に限り、同エンジンストールの発生履歴を前記エンジンの診断用のデータとして記録させる
診断データ処理装置。
【発明の詳細な説明】
【技術分野】
【０００１】
本発明は、エンジン診断用のデータの処理を行う診断データ処理装置に関する。
【背景技術】
【０００２】
特許文献１には、中古車の査定額の決定を支援するシステムとして、エンジン型式などから特定された標準額に対して、中古自動車査定基準に基づき算出された該当車両の評価点に応じて加算、又は減算した額を、査定額の目安として提示するシステムが記載されている。
【先行技術文献】
【特許文献】
【０００３】
【特許文献１】特開２０１５−６４６１６号公報
【発明の概要】
【発明が解決しようとする課題】
【０００４】
中古自動車査定基準に定められた車両の評価事項は、走行距離や整備履歴、タイヤの減り具合などの現在の車両の状態から確認可能なものに限られている。一方、エンジンの劣化は、長い時間をかけて徐々に進行するため、現在の状態から確認可能な事項だけでは適正に評価できない虞がある。
【課題を解決するための手段】
【０００５】
上記課題を解決する診断データ処理装置は、エンジンの診断用に記録するデータの処理を行う装置であって、エンジンで発生したエンジンストールが同エンジンの内的要因で発生したか、外的要因で発生したかを判定して、内的要因で発生した場合に限り、同エンジンストールの発生履歴をエンジンの診断用のデータとして記録させるようにするものとなっている。
【０００６】
エンジンの内的要因によりエンジンストールが発生した場合には、その後もエンジンストールが再発する可能性が高くなる。そこで、エンジンストールの発生履歴を記録しておけば、その記録を用いてエンジンの状態を診断することが可能となる。すなわち、過去に発生したエンジンストールの影響を考慮したエンジンの診断が可能となる。よって、現在の車両の状態から確認可能な事項に加え、そうした診断結果を用いれば、中古車等の評価をより適正に行えるようになる。
【０００７】
ただし、エンジン自体が原因では無く、運転者の不適切な操作の結果などの外的要因に依ってエンジンストールが発生する場合もある。そうした場合のエンジンストールは、エンジン自体の状態とは無関係であるため、外的要因に依るエンジンストールの発生まで履歴として記録されてしまうと、診断結果が不適切となる虞がある。その点、上記診断データ処理装置は、エンジンストールがエンジンの内的要因により発生した場合に限り、その発生履歴を診断用のデータとして記録させるようにしている。そのため、過去のエンジンストールの発生履歴に基づいての適正なエンジンの診断を実施可能となる。
【図面の簡単な説明】
【０００８】
【図１】診断データ処理装置の一実施形態を採用する車両カルテ提供システムの構成を模式的に示す図。
【図２】同実施形態の診断データ処理装置が実行するエンストデータ受診時ルーチンのフローチャート。
【図３】同実施形態の診断データ処理装置が実行するノック遅角量受診時ルーチンのフローチャート。
【図４】上記車両カルテ提供システムにおいて車両情報管理サーバが実行するエンスト履歴削除ルーチンのフローチャート。
【図５】上記車両カルテ提供システムにおいて車両情報管理サーバが実行するノック遅角履歴削除ルーチンのフローチャート。
【発明を実施するための形態】
【０００９】
以下、診断データ処理装置の一実施形態を、図１〜図５を参照して詳細に説明する。本実施形態の診断データ処理装置は、中古車オークション市場における中古車の出品者や入札者、査定業者などのオークション参加者に、出品された中古車の評価情報を車両カルテとして提供する車両カルテ提供システムに設けられている。
【００１０】
図１に示すように、車両カルテ提供システムには、運転履歴管理サーバ１０、整備履歴管理サーバ１１、及びカルテ提供サーバ１２が設けられている。運転履歴管理サーバ１０には、各車両１３のエンジン１４の運転履歴の情報を格納する運転履歴データベース１５が設けられている。また、整備履歴管理サーバ１１には、各車両１３の整備履歴の情報を格納する整備履歴データベース１６が設けられている。整備履歴管理サーバ１１は、ディーラや整備工場などから各車両１３の整備情報を取得し、個体識別情報に紐づけたかたちで整備履歴データベース１６に記録する。整備履歴データベース１６に記録される整備情報には、整備に際して交換された部品の情報やその交換の日時の情報が含まれている。これら３つのサーバは、データを相互に送受信可能に接続されている。さらに、カルテ提供サーバ１２は、インターネット回線１８を介して、オークション参加者の端末装置１９にそれぞれ接続されている。
【００１１】
また、本システムの管理対象の車両１３には、無線通信機能を有した車載装置１７がそれぞれ搭載されている。車載装置１７には、その車両１３に搭載されたエンジン１４の運転状況を示すデータが入力されている。また、各車両１３の車載装置１７は、運転履歴管理サーバ１０に対して、移動体通信網などを通じてデータを送受信可能に接続されている。各車両１３の車載装置１７は、車体製造番号やエンジン製造番号などの車両１３の個体識別情報と共にエンジン１４の運転データを運転履歴管理サーバ１０に送信している。
【００１２】
こうした車両カルテ提供システムにおける車両カルテの提供は、下記の態様で行われる。中古車オークションの参加者は、自身の端末装置１９において、車両カルテ提供の依頼情報を、対象車両の個体識別情報と共にカルテ提供サーバ１２に送信する。依頼情報を受信したカルテ提供サーバ１２は、同時に受信した個体識別情報を元に、対象車両の運転履歴の情報、及び整備履歴の情報を運転履歴データベース１５及び整備履歴データベース１６から取得する。そして、カルテ提供サーバ１２は、取得した情報に基づいて車両カルテを作成して、依頼元の端末装置１９に返信する。
【００１３】
なお、車両カルテの作成に際してカルテ提供サーバ１２は、対象車両の運転履歴の情報に基づき、対象車両のエンジン１４の診断を行っている。そして、カルテ提供サーバ１２は、その診断結果の情報を含んだ車両カルテを作成している。このときのエンジン１４の診断は、次の（イ）〜（ト）の各運転状態の発生履歴に基づいて行われる。
【００１４】
（イ）エンジンストール：過去にエンジンストールが発生したエンジン１４では、その原因が解消されない限り、同様のエンジンストールが再発する可能性がある。以下の説明では、エンジンストールの発生履歴をエンスト履歴と記載する。
【００１５】
（ロ）ノック遅角：エンジン１４では、ノッキングの検知結果に基づき、ノッキングを抑制可能となるまで点火時期を遅角するノック制御が行われている。以下の説明では、ノック制御での点火時期の遅角量をノック遅角量と記載する。エンジン１４のピストンにデポジットが堆積すると、ノッキングが発生し易くなって、ノック遅角量が大きくなる。よって、ノック遅角量が大幅に増大している場合には、ピストンのデポジット堆積が発生している可能性が高いと考えられる。以下の説明では、ピストンにデポジットが堆積している程度まで、ノック遅角量が大きくなった状態をノック遅角状態と記載する。また、ノック遅角状態の発生履歴をノック遅角履歴と記載する。
【００１６】
（ハ）長時間のアイドル運転：エンジン１４のアイドル運転中には、エンジン冷却水を冷却するラジエータに走行風が当たらないため、ラジエータの送風ファンが駆動されることが多くなる。そのため、長時間に渡ってアイドル運転が継続されると、送風ファンの駆動回数や同送風ファンに電力を供給するためのオルタネータの充電作動回数が多くなり、それらの故障発生率が上昇する。以下の説明では、こうした長時間のアイドル運転の発生履歴を長期アイドル履歴と記載する。
【００１７】
（ニ）オーバーヒート：エンジン１４のオーバーヒートが発生すると、ピストンリングの焼き付きやエンジン１４そのものやその周辺に設置された樹脂部品等の劣化を招く虞がある。以下の説明では、オーバーヒート状態となる温度までのエンジンの水温上昇の発生履歴を高水温履歴と記載する。
【００１８】
（ホ）オーバーレブ：設計時の想定最高回転数を超えてエンジン回転数が上昇する、いわゆるオーバーレブが発生すると、エンジン１４のコネクティングロッドやピストン、シリンダヘッド、カムシャフトなどに想定を超える大きい応力が掛かって、それらの耐久性が低下する虞がある。以下の説明では、オーバーレブの発生履歴をオーバーレブ履歴と記載する。
【００１９】
（ヘ）油温上昇によるオイル性能の低下：自動変速機の作動油であるＡＴＦ（Automatic Transmission Fluid）が高温となると、ＡＴＦのオイル性能が低下して、ギアやクラッチ等の自動変速機の構成部品の摩耗が進行する虞がある。以下の説明では、オイル性能の低下を招くまでのＡＴＦの温度上昇の発生履歴を高ＡＴ油温履歴と記載する。
【００２０】
（ト）始動時間の長期化：インジェクタの油密漏れが発生すると、エンジン１４の停止中にインジェクタから漏れた燃料がインテークマニホルドや吸気ポートに付着する。そして、その後のエンジン１４の再始動時に、付着した燃料が気化して空燃比のリッチ化が生じるため、エンジン１４の始動性が悪化する。よって、エンジン１４の始動時間が長くなっている場合には、インジェクタの油密漏れの発生が疑われる。以下の説明では、インジェクタの油密漏れが生じていると判断されるまでの始動時間の長期化の発生履歴を、長始動時間履歴と記載する。
【００２１】
上記（イ）〜（ト）の各運転状態を診断項目と記載する。診断項目のそれぞれには、予め個別の評価点が設定されている。カルテ提供サーバ１２は、診断対象車両のものとして発生履歴が記録されている診断項目を運転履歴データベース１５から抽出し、抽出した各診断項目の評価点を合計する。そして、カルテ提供サーバ１２は、発生履歴が記録された診断項目の評価点の合計が小さいほど状態が良いものとして、エンジン１４の診断を行っている。
【００２２】
こうした車両カルテ提供システムにおいて運転履歴管理サーバ１０は、各車両１３の車載装置１７から運転データを受信すると、診断データ処理Ｐ１を実施する。診断データ処理Ｐ１では、上記（イ）〜（ト）の運転状態のそれぞれについて、受信した運転データがその運転状態を示すものであるか否かが判定される。そして、診断データ処理Ｐ１では、運転データが示す運転状態の発生履歴を運転履歴データベース１５に記録する処理が行われる。ここでは、診断データ処理Ｐ１の中でのエンスト履歴及びノック遅角履歴の記録に関する部分の処理の詳細を説明する。
【００２３】
図２に、診断データ処理Ｐ１におけるエンスト履歴の記録に関する部分の処理ルーチンであるエンストデータ受信時ルーチンのフローチャートを示す。車載装置１７は、エンジンストールが発生すると、その後に、エンジンストールの発生とその発生時の車両１３の運転状況を示すデータであるエンストデータを運転履歴管理サーバ１０に送信する。運転履歴管理サーバ１０は、こうしたエンストデータを受信した際に、本ルーチンの処理を実行する。なお、エンストデータには、エンジンストールが発生する直前に運転者が行ったシフト操作の情報、同エンジンストールの発生時のインジェクタに供給されていた燃料の圧力、及び燃料タンクの燃料残量の情報が含まれている。本ルーチンでは、次の（チ）〜（ヌ）の場合には、運転履歴データベース１５へのエンスト履歴の記録を行わずにそのまま処理が終了される。
【００２４】
（チ）エンジンストールの発生直前に車両１３が後進中であって、かつ後進用のＲレンジから前進用のＤレンジへのシフト操作が行われた場合（Ｓ１００：ＹＥＳ）。
（リ）エンジンストールの発生直前に車両１３が前進中であって、かつ前進用のＤレンジから後進用のＲレンジへのシフト操作が行われた場合（Ｓ１１０：ＹＥＳ）。
【００２５】
（ヌ）エンジン１４の始動直後にシフト操作が行われた場合（Ｓ１２０：ＹＥＳ）。
これらの場合、エンジンストールは、エンジン１４自体の原因では無く、運転者の不適切なシフト操作が原因となって発生した可能性が高いと考えられる。そのため、本ルーチンでは、エンジンストールが発生しても、上記（チ）〜（ヌ）の場合には、エンスト履歴を記録しないようにしている。
【００２６】
また、次の（ル）の場合にも、エンスト履歴を記録せずにそのまま本ルーチンの処理を終了している。
（ル）インジェクタに供給する燃料圧力が既定の判定値Ａよりも低く（Ｓ１３０：ＹＥＳ）、かつ燃料タンクの燃料残量がゼロ近傍でない（Ｓ１５０：ＹＥＳ）場合。判定値Ａには、燃焼の安定に必要な量の燃料噴射が可能な燃料圧力の下限値が値として設定されている。
【００２７】
すなわち、燃料圧力が判定値Ａ未満の場合には、燃料噴射量の不足による失火が原因となってエンジンストールが発生した可能性が高いと考えられる。そして、上記（ル）の場合、すなわち燃料切れにより、燃料噴射量が不足した場合のエンジンストールは、エンジン１４の内的要因に依るものでは無いため、本ルーチンではエンスト履歴を記録しないようにしている。
【００２８】
本ルーチンでは、上記（チ）〜（ル）以外の場合には、ステップＳ１４０において、運転履歴データベース１５へのエンスト履歴の記録を行うようにしている。このように本ルーチンでは、エンジンストールが、エンジン１４の内的要因では無く、運転者の操作や燃料切れといった外的要因により発生したと考えられる場合には、エンスト履歴を記録しないようにしている。
【００２９】
なお、インジェクタに供給される燃料圧力が判定値Ａ未満（Ｓ１３０：ＹＥＳ）、かつ燃料タンクの燃料残量がゼロ近傍でない（Ｓ１５０：ＮＯ）場合、すなわち燃料切れでは無いのにインジェクタに十分な燃料が供給されていない場合には、燃料ポンプが故障していると考えられる。そのため、本ルーチンでは、そうした場合には、ステップＳ１４０でのエンスト履歴の記録と共に、ステップＳ１６０において、燃料ポンプの故障が発生したことを示すポンプ故障履歴を、運転履歴データベース１５に記録するようにしている。
【００３０】
図３に、診断データ処理Ｐ１におけるノック遅角履歴の記録に関する部分の処理ルーチンであるノック遅角量受信時ルーチンのフローチャートを示す。車載装置１７は、定期的に、ノック制御での点火時期の遅角量であるノック遅角量を、そのときのエンジン１４の運転状況を示す運転データと共にエンストデータを運転履歴管理サーバ１０に送信している。運転履歴管理サーバ１０は、このときのノック遅角量及び運転データを受信した際に、本ルーチンの処理を実行する。なお、運転データには、送信時のエンジン１４のエンジン回転数、エンジン負荷、エンジン温度等の情報が含まれている。
【００３１】
本ルーチンの処理が開始されると、まずステップＳ２００において、受信したノック遅角量が既定の判定値Ｂ未満であるか否かが判定される。判定値Ｂには、ピストンにデポジットが堆積していない状態を想定して設定されたノック遅角量の設計時の想定最大値が値として設定されている。よって、ノック遅角量が判定値Ｂ以上の場合（Ｓ２００：ＮＯ）には、ピストンのデポジット堆積が発生している可能性がある。ノック遅角量が判定値Ｂ未満の場合（Ｓ２００：ＹＥＳ）には、すなわちノック遅角量が、ピストンにデポジットが堆積した状態にあることを示す値となっていない場合には、そのまま今回の本ルーチンの処理が終了される。
【００３２】
これに対して、ノック遅角量が判定値Ｂ以上の場合（Ｓ２００：ＮＯ）には、ステップＳ２１０に処理が進められ、そのステップＳ２１０において、ノック遅角量が判定値Ｂ以上となったときのエンジン１４が高負荷運転中、又は高温運転中であるか否かが判定される。そして、高負荷運転中、又は高温運転中の場合（Ｓ２１０：ＹＥＳ）には、ノック遅角履歴を記録せずにそのまま今回の本ルーチンの処理が終了される。
【００３３】
ノッキングは、エンジン負荷が高いほど発生し易くなる。また、ノッキングはエンジン温度が高いほど発生し易くなる。そのため、高負荷運転中や高温運転中には、エンジン１４自体には原因が無くても、一時的にノック遅角量が大きくなることがある。こうした場合のノック遅角量の増大は、エンジン１４の内的要因に依るものでは無く、外的要因による一時的なものであると考えられる。そのため、そうした場合には、エンジン１４の診断に用いる履歴としてノック遅角履歴を記録しないようにしている。
【００３４】
これに対して、高負荷運転中でも、高温運転中でも無い場合（Ｓ２１０：ＹＥＳ）には、ステップＳ２２０に処理が進められる。そして、そのステップＳ２２０において、高負荷、高温運転中でなく、かつノック遅角量が判定値Ｂ以上の状態が継続している期間が既定の判定値Ｃ未満であるか否かが判定される。なお、以下の説明では、上記継続している期間をノック遅角継続期間と記載する。本ルーチンでは、ノック遅角継続期間が判定値Ｃ以上となったときに（Ｓ２２０：ＹＥＳ）、ステップＳ２３０において、ノック遅角履歴が運転履歴データベース１５に記録される。以上のように本ルーチンでは、ノック遅角量の増大が、エンジン１４の内的要因では無く、外的要因に依って発生していると考えられる場合には、エンジン１４の診断に用いる履歴としてその発生を記録しないようにしている。
【００３５】
また、運転履歴管理サーバ１０は、履歴削除処理Ｐ２を定期的に実行している。履歴削除処理Ｐ２では、運転履歴データベース１５に記録された各車両１３の上記診断項目の発生履歴と、整備履歴管理サーバ１１の整備履歴データベース１６に記録された各車両１３の整備履歴とを照らし合せ、エンジン１４の診断への利用が不適切となった診断項目の発生履歴を削除する処理が行われる。
【００３６】
例えば、上述のように、長期アイドル履歴として記録される長時間のアイドル運転の継続は、送風ファンやオルタネータの故障の発生率を高めるものとなっている。長期アイドル履歴の記録後に送風ファン及びオルタネータが交換され、かつその交換後に再び長期アイドル履歴が記録されていなければ、長期アイドル履歴の記録は、現状のエンジン１４に設置された交換後の送風ファンやオルタネータの故障の発生率が高いことを示すものでは無くなる。そこで、履歴削除処理Ｐ２では、運転履歴データベース１５に長期アイドル履歴が記録された車両において、その記録後に送風ファン及びオルタネータが交換されたことを示す整備履歴が整備履歴データベース１６に記録されている場合には、その車両の長期アイドル履歴を削除している。
【００３７】
また、履歴削除処理Ｐ２では、高水温履歴、オーバーレブ履歴、及び高ＡＴ油温履歴についての削除処理が、下記の態様で行われる。すなわち、ピストンリングの焼き付きの原因となるオーバーヒートの発生を示す高水温履歴が記録された車両においてその記録後にピストンリングが交換されたことを示す整備履歴が記録されている場合には、その車両の高水温履歴を削除する。オーバーレブ履歴が記録された車両において、オーバーレブ時に想定を超える大きい応力が加わるコネクティング等の部品がその記録後に交換されたことを示す整備履歴が記録されている場合には、その車両のオーバーレブ履歴を削除する。高ＡＴ油温履歴が記録された車両においてその記録後にＡＴＦが交換されたことを示す整備履歴が記録されている場合には、その車両の高ＡＴ油温履歴を削除する。なお、履歴削除処理Ｐ２におけるエンスト履歴、及びノック遅角履歴の削除に関する部分の処理については、以下にその詳細を説明する。
【００３８】
図４に、履歴削除処理Ｐ２におけるエンスト履歴の削除に関する部分の処理ルーチンであるエンスト履歴削除ルーチンのフローチャートを示す。履歴削除処理Ｐ２において運転履歴管理サーバ１０は、運転履歴データベース１５にエンスト履歴が記録された車両１３のそれぞれを対象として、本ルーチンを個別に実行する。
【００３９】
本ルーチンが開始されると、まずステップＳ３００において、整備履歴データベース１６から対象車両の整備履歴の情報が取得される。そして、続くステップＳ３１０では、運転履歴データベース１５における対象車両のポンプ故障履歴の記録の有無が確認される。
【００４０】
対象車両のポンプ故障履歴が記録されている場合（Ｓ３１０：ＹＥＳ）には、ステップＳ３２０に処理が進められる。そして、ステップＳ３１０において、対象車両の整備履歴情報として、ポンプ故障履歴の記録後に燃料ポンプが修理、又は交換されたことを示す履歴が記録されているか否かが判定される。そうした燃料ポンプの修理、交換の履歴が記録されている場合（ＹＥＳ）には、ステップＳ３３０において、運転履歴データベース１５に記録された対象車両のポンプ故障履歴、及びエンスト履歴が削除された後、本ルーチンの処理が終了される。これに対して、上記修理、交換の履歴の記録が無い場合（Ｓ３１０：ＮＯ）には、そのまま今回の本ルーチンの処理が終了される。
【００４１】
一方、対象車両のポンプ故障履歴が記録されていない場合（Ｓ３１０：ＮＯ）には、ステップＳ３４０に処理が進められる。そして、ステップＳ３４０において、エンスト履歴の記録後におけるエンスト解消整備の実施履歴が、対象車両の整備履歴情報として記録されているか否かが判定される。エンスト解消整備は、エンジンストールの原因を解消するためのエンジン１４の修理や部品交換を表している。そうしたエンスト解消整備の実施履歴が記録されている場合（Ｓ３４０：ＹＥＳ）には、ステップＳ３５０において、運転履歴データベース１５に記録された対象車両のエンスト履歴が削除された後、今回の本ルーチンの処理が終了される。これに対して同実施履歴が記録されていない場合（Ｓ３４０：ＮＯ）には、ステップＳ３６０において、エンスト履歴が最後に記録されてからの車両１３の走行距離が判定値Ｄを超えているか否かが判定される。同走行距離が判定値Ｄ以下の場合（ＮＯ）にはそのまま本ルーチンの処理が終了される。一方、上記走行距離が判定値Ｄを超えている場合（ＹＥＳ）には上述のステップＳ３５０において対象車両のエンスト履歴が削除された後、今回の本ルーチンの処理が終了される。
【００４２】
上述のエンストデータ受診時ルーチンでは、燃料ポンプの故障によりエンジンストールが発生したときには、エンスト履歴と共にポンプ故障履歴を記録している。エンスト履歴及びポンプ故障履歴の双方が記録されている場合には、その記録後に燃料ポンプが修理、交換されれば、エンジンストールが再発する可能性は低くなる。そのため、本ルーチンでは、エンスト履歴及びポンプ故障履歴の双方が記録された車両において、その記録後に燃料ポンプの修理、交換が行われた場合には、その車両のエンスト履歴及びポンプ故障履歴を削除している。
【００４３】
一方、ポンプ故障履歴及びエンスト履歴のうちのエンスト履歴のみが記録された車両では、燃料ポンプの故障以外のエンジン１４の内的要因に依るエンジンストールが過去に発生している。よって、そうした車両では、その原因を解消する整備が行われた場合に、エンスト履歴を削除している。なお、エンジンストールの発生後、長期に渡りエンジンストールが再発しなければ、そのエンジンストールの原因が自然解消されたか、そのエンジンストールがエンジン１４の外的要因に依る一時的なものであったか、のいずれかであると考えられる。そこで、本ルーチンでは、エンスト履歴が最後に記録されてから、車両１３が判定値Ｄ以上の距離を走行した場合にも、エンスト履歴を削除するようにしている。
【００４４】
図５に、履歴削除処理Ｐ２におけるノック遅角履歴の削除に関する部分の処理ルーチンであるエンスト履歴削除ルーチンのフローチャートを示す。履歴削除処理Ｐ２において運転履歴管理サーバ１０は、運転履歴データベース１５にノック遅角履歴が記録された車両１３のそれぞれを対象として、本ルーチンを個別に実行する。
【００４５】
本ルーチンが開始されると、まずステップＳ４００において、整備履歴データベース１６から対象車両の整備履歴の情報が取得される。そして、続くステップＳ４１０において、対象車両の整備履歴情報として、ノック遅角履歴の記録後に、デポ洗浄が実施されたことを示す履歴が記録されているか否かが判定される。デポ洗浄は、ピストン等に堆積したデポジットを除去するためのエンジン整備を表している。
【００４６】
上記デポ洗浄の実施履歴が記録されている場合には（Ｓ４１０：ＹＥＳ）、ステップＳ４２０において、対象車両のエンジン１４のノック遅角状態が現在は解消しているか否かが判定される。具体的には、対象車両から直近に受信したノック遅角量が、ノック遅角状態の判定に用いる判定値Ｂよりも小さい値となっているか否かが判定される。そして、ノック遅角状態が解消されている場合（Ｓ４２０：ＹＥＳ）には、ステップＳ４３０において、運転履歴データベース１５における対象車両のノック遅角履歴が削除された後、本ルーチンの処理が終了される。一方、ノック遅角状態が解消されていない場合（Ｓ４２０：ＮＯ）には、そのまま本ルーチンの処理が終了される。
【００４７】
一方、デポ洗浄の実施履歴が記録されていない場合（Ｓ４１０：ＮＯ）には、ステップＳ４４０に処理が進められる。そして、そのステップＳ４４０において、上述のステップＳ４２０と同様にして、対象車両のエンジン１４のノック遅角状態が現在は解消しているか否かが判定される。そして、ノック遅角状態が解消していない場合（ＮＯ）にはそのまま本ルーチンの処理が終了され、解消している場合（ＹＥＳ）にはステップＳ４５０に処理が進められる。ステップＳ４５０に処理が進められると、そのステップＳ４５０において、ノック遅角状態が解消した状態の継続期間である解消継続期間が判定値Ｅを超えているか否かが判定される。そして、解消継続期間が判定値Ｅ以下の場合（ＮＯ）にはそのまま本ルーチンの処理が終了される。これに対して、解消継続期間が判定値Ｅを超えている場合（ＹＥＳ）には、上述のステップＳ４３０において、運転履歴データベース１５における対象車両のノック遅角履歴が削除された後、本ルーチンの処理が終了される。
【００４８】
上述のように、ノック遅角状態、すなわちノック制御での点火時期の遅角量であるノック遅角量の大幅な増大は、ピストンのデポジットの堆積により発生する。ノック遅角履歴の記録後にデポ洗浄が適切に実施されれば、ピストンに堆積したデポジットが除去される。そのため、本ルーチンでは、ノック遅角履歴の記録後にデポ洗浄が実施され、かつその実施後にノック遅角状態が解消したことが確認された場合には、ノック遅角履歴を削除している。
【００４９】
なお、エンジン１４が長時間に渡って連続運転された場合などには、ピストンに堆積したデポジットが燃焼浄化されることがある。そのため、本ルーチンでは、デポ洗浄が実施されていない場合にも、ノック遅角状態が解消している状態が一定の期間を超えて継続した場合には、ノック遅角履歴を削除している。
【００５０】
以上のように、履歴削除処理Ｐ２では、車両カルテの作成時に行われるエンジン１４の診断に使用される運転状態の発生履歴のうち、その後の整備の結果、現在のエンジン１４の状態を示すものでは無くなった場合には、記録を削除している。そのため、エンジン１４の現状とは異なる状態での発生履歴に基づいて不適切な診断がなされることが生じ難くなる。
【００５１】
本実施形態の診断データ処理装置の作用を説明する。
本実施形態の診断データ処理装置は、車両カルテ提供システムに設けられた運転履歴管理サーバ１０の機能の一部として具現化されている。具体的には、診断データ処理Ｐ１の処理が、診断データ処理装置として運転履歴管理サーバ１０が実行する処理となっている。
【００５２】
本実施形態のデータ処理装置は、車両カルテの作成に際して行われるエンジン１４の診断に用いる車両１３の運転データの処理を行うものとなっている。具体的には、本実施形態のデータ処理装置は、車両１３からエンジンストールの発生を示す運転データを受信した際に、そのエンジンストールが、運転者の不適切なシフト操作や燃料切れなどのエンジン１４の外的要因に依るものか、エンジン１４の内的要因に依るものかを判定している。そして、エンジン１４の内的要因に依るものである場合に限り、エンジンストールの発生履歴を、エンジン１４の診断用のデータとして記録している。また、本実施形態のデータ処理装置は、車両１３からノック遅角状態の発生を示す運転データを受信した際に、そのノック遅角状態が、高負荷運転や高温運転などの運転者の操作や環境などの外的要因に依るものか、例えばピストンのデポジット堆積などのエンジン１４の内的要因に依るものかを判定している。そして、エンジン１４の内的要因に依るものである場合に限り、ノック遅角状態の発生履歴を、エンジン１４の診断用のデータとして記録している。こうしたデータ処理装置を備える車両カルテ提供システムでは、車両カルテ作成時のエンジン１４の診断では、エンジン１４の外的要因に依るエンジンストールやノック遅角状態の発生履歴が参照されないようになる。
【００５３】
以上の本実施形態のデータ処理装置によれば、以下の効果を奏することができる。
（１）本実施形態では、エンジン１４で発生したエンジンストールが同エンジン１４の内的要因で発生したか、外的要因で発生したかを判定して、内的要因で発生した場合に限り、同エンジンストールの発生履歴をエンジン１４の診断用のデータとして記録している。そのため、エンジン１４の状態とは関係無い、外的要因によるエンジンストールの発生履歴に基づく不適切なエンジン１４の診断がなされ難くなる。
【００５４】
（２）本実施形態では、エンジン１４で発生したノック遅角状態が同エンジン１４の内的要因で発生したか、外的要因で発生したかを判定して、内的要因で発生した場合に限り、同ノック遅角状態の発生履歴をエンジン１４の診断用のデータとして記録している。そのため、エンジン１４の状態とは関係無い、外的要因によるノック遅角状態の発生履歴に基づく不適切なエンジン１４の診断がなされ難くなる。
【００５５】
本実施形態は、以下のように変更して実施することができる。本実施形態及び以下の変更例は、技術的に矛盾しない範囲で互いに組み合わせて実施することができる。
・上記実施形態では、エンジンストールやノック遅角状態がエンジン１４の内的要因に依るものか、外的要因に依るものかの判定を、それらの発生履歴を運転履歴データベース１５に記録する前に行うようにしていた。発生履歴の記録後に上記判定を行うようにすることも可能である。すなわち、車載装置１７から送信された運転データにより、エンジンストールやノック遅角状態の発生が確認された場合には、その時点ではそれらの発生履歴を無条件で運転履歴データベース１５に記録する。そして、その記録後に、それらが内的要因、外的要因のいずれにより発生したかの判定を実施し、外的要因により発生したものであると判定した場合には、記録した発生履歴を削除する。エンジンストールやノック遅角状態の発生の直後には、内的要因、外的要因のいずれに依るものかを明確に区別できず、その後の経過によりいずれに依るものかが明確となる場合がある。そうした場合には、発生履歴の記録後に上記判定を行うようにした方が望ましいことがある。
【００５６】
・上記実施形態において運転履歴管理サーバ１０が実行する診断データ処理Ｐ１を、車載装置１７が行うようにしてもよい。そうした場合には、車載装置１７が診断データ処理装置としての機能を担うことになる。なお、そうした場合の車載装置１７は、エンジンストールやノック遅角状態がエンジン１４の内的要因により発生した場合に限り、その発生を示す運転データを運転履歴管理サーバ１０に送信することになる。一方、このときの運転履歴管理サーバ１０は、エンジンストールやノック遅角状態の発生を示す運転データを受信すると、それらの発生履歴を無条件で運転履歴データベース１５に記録する。よって、このときには、車載装置１７によるエンジンストールやノック遅角状態の発生を示す運転データの送信と、運転履歴データベース１５へのそれらの発生履歴の記録とが、一体不可分のものとして行われることになる。すなわち、この場合には、上記のような車載装置１７の運転データの送信が、発生履歴の記録に相当する車載装置１７の動作となる。
【００５７】
・上記実施形態では、エンジン１４の外的要因により発生したエンジンストールやノック遅角状態については、その発生履歴を運転履歴データベース１５に記録しないようにしていた。内的要因に依るものか外的要因に依るものかを区別可能な態様でエンジンストールやノック遅角状態の発生履歴を運転履歴データベース１５に記録し、エンジン１４の診断に際しては、内的要因による発生履歴のみを用いるようにしてもよい。そうした場合にも、外的要因によるエンジンストールやノック遅角状態の発生履歴は、エンジン１４の診断用のデータとしては運転履歴データベース１５に記録されないことになる。
【００５８】
・上記実施形態では、運転履歴管理サーバ１０は定期的に、各車両１３の履歴削除処理Ｐ２を一括して行うようにしていた。カルテ提供サーバ１２が車両カルテを作成する際に、対象車両に限定したかたちで履歴削除処理Ｐ２を実行するようにしてもよい。また、そうした場合の履歴削除処理Ｐ２を、運転履歴管理サーバ１０に代わってカルテ提供サーバ１２が行うようにしてもよい。
【００５９】
上記実施形態及び変更例から把握できる技術的思想について記載する。
（イ）ノッキングの検知結果に基づき前記ノッキングの発生が抑制されるまで点火時期を遅角させるノック制御を行うエンジンについて、同エンジンの診断用に記録するデータの処理を行う診断データ処理装置において、前記ノック制御による前記点火時期の遅角量が既定値を超える状態をノック遅角状態としたとき、前記エンジンで発生した前記ノック遅角状態が同エンジンの内的要因で発生したか、外的要因で発生したかを判定して、内的要因で発生した場合に限り、同ノック遅角状態の発生履歴を前記エンジンの診断用のデータとして記録させる診断データ処理装置。
【００６０】
上記のようなノック遅角状態の発生は、ピストンのデポジット堆積などの、エンジンが好適な状態に無いことの証左となる。そのため、ノック遅角状態の発生履歴を記録しておけば、その記録を用いてエンジンの状態を診断することが可能となる。ただし、エンジン自体に原因が無くても、運転者の操作や環境要因などの外的要因により、ノック遅角状態が引き起こされることがある。そうした外的要因に依るノック遅角状態の発生履歴まで、エンジンの診断用のデータとして記録されてしまうと、診断結果が不適切となる虞がある。その点、上記診断データ処理装置は、ノック遅角状態がエンジンの内的要因により発生した場合に限り、その発生履歴を診断用のデータとして記録させるようにしている。そのため、外的要因に依るノック遅角状態の発生履歴が、エンジンの診断用のデータとして用いられないようになる。したがって、過去のノック遅角状態の発生履歴に基づいての適切なエンジンの診断が可能となる。
【符号の説明】
【００６１】
１０…運転履歴管理サーバ（診断データ処理装置）、１１…整備履歴管理サーバ、１２…車両カルテ提供サーバ、１３…車両、１４…エンジン、１５…運転履歴データベース、１６…整備履歴データベース、１７…車載装置、１８…インターネット回線、１９…クライアント端末。
【図１】
2020176523.tif 000003
【図２】
2020176523.tif 000004
【図３】
2020176523.tif 000005
【図４】
2020176523.tif 000006
【図５】
2020176523.tif 000007